(57)【要約】【課題】  液状内容物の消尽時の詰め替え作業を容易に行えるようにすると共に、液状内容物を収容している内容器の詰め替え後の廃棄物の処理を容易に行えるようにし、さらに、濡れやすい場所でも反復使用できるようにした詰め替え容器を得る。【解決手段】  上部に開口部（２）を有するプラスチック製の外容器（３）と、外容器（３）の開口部（２）を閉じるプラスチック製の蓋体（４）と、内部に液状内容物を収容し、液状内容物の消尽時に交換可能に外容器（３）に収容される紙製の内容器（５）と、蓋体（４）に設けられ、外容器（３）内に収容されている内容器（５）内の液状内容物を吸い込んで外部へ吐出するポンプ（６）とからなり、外容器（３）の開口部（２）を蓋体（４）で閉じたとき、蓋体（４）の下側に配置されているポンプ（６）の吸い込み管（１５）が、内容器（５）の上面部（７）に形成されている吸い出し口（８）から内容器（５）内へ挿入されるようにした。
2016002179.tif 000002
【特許請求の範囲】
【請求項１】
上部に開口部を有するプラスチック製の外容器と、外容器の開口部を閉じるプラスチック製の蓋体と、内部に液状内容物を収容し、液状内容物の消尽時に交換可能に前記外容器に収容される紙製の内容器と、前記蓋体に設けられ、前記外容器内に収容されている内容器内の液状内容物を吸い込んで外部へ吐出するポンプとからなり、
前記内容器は、その上面部に吸い出し口が形成されており、前記ポンプは、筒状シリンダ部と前記筒状シリンダ部の上部に設けられ、前記筒状シリンダ部内に摺動自在に嵌合するピストンの操作部を兼ねる吐出ノズルと、前記筒状シリンダ部の下部に設けられた吸い込み管で構成され、前記筒状シリンダ部が前記蓋体に貫通して固定され、前記蓋体の上側に前記吐出ノズルが配置され、前記蓋体の下側に前記吸い込み管が配置されており、前記外容器の開口部を蓋体で閉じたとき、前記蓋体の下側に配置されている前記吸い込み管が、前記内容器の上面部に形成された前記吸い出し口から前記内容器内へ挿入されるようになっていることを特徴とする詰め替え容器。
【請求項２】
前記外容器内に収容されている前記内容器の上面部に形成された吸い出し口と、前記蓋体の下側に配置されている前記吸い込み管は、上下方向に同一線上に位置するように配置されていることを特徴とする請求項１に記載の詰め替え容器。
【請求項３】
前記内容器の上面部に形成された吸い出し口は破断可能なフィルムで封止されており、前記外容器の開口部を蓋体で閉じたとき、前記蓋体の下側に配置されている前記吸い込み管が、前記フィルムを破断して前記内容器内へ挿入されるようになっていることを特徴とする請求項１または２のいずれか１項に記載の詰め替え容器。
【請求項４】
前記内容器の上面部に形成された吸い出し口は、上面部の中央に形成されていることを特徴とする請求項１乃至３のいずれか１項に記載の詰め替え容器。
【請求項５】
前記内容器の底面部は下向き四角錐形に形成されていることを特徴とする請求項１乃至４のいずれか１項に記載の詰め替え容器。
【請求項６】
前記内容器は、両面に熱可塑性樹脂を積層した紙素材からなり、４つの胴部パネルを備え、縦方向シールパネルによって縁部が接合されて四角の筒状に形成された胴部を有し、上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って折り畳まれる一対の側面パネルが連設され、前記一対の前記上面部形成パネルには、その中央に位置して前記吸い出し口となる穴が形成され、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されていることを特徴とする請求項１乃至５のいずれか１項に記載の詰め替え容器。
【請求項７】
前記内容器は、両面に熱可塑性樹脂を積層した紙素材からなり、４つの胴部パネルを備え、縦方向シールパネルによって縁部が接合されて四角の筒状に形成された胴部を有し、底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されていることを特徴とする請求項１乃至６のいずれか１項に記載の詰め替え容器。
【発明の詳細な説明】
【技術分野】
【０００１】
本発明は、液状内容物の詰め替えが可能な詰め替え容器に関する。
【背景技術】
【０００２】
従来、液状内容物の詰め替えが可能な詰め替え容器として、内部に空間が形成される紙管胴体と、紙管胴体の内側上部に結合され、上部外周面に沿って突出部が形成される固定部と、液状内容物を収容し、液状内容物の消尽時に交換が可能に前記固定部の下部にネジ結合により着脱可能に結合されるパウチと、前記固定部の上端に結合されて、ポンプ作用を通じてパウチに収容されている内容物を吸い込み外部へ吐出させるポンプ部材とを備えた詰め替え容器が提案されている（例えば、特許文献１参照。）。
特許文献１に記載されている詰め替え容器は、パウチ内の液状内容物を消尽したら、紙管胴体から固定部を外し、固定部に結合しているパウチを紙管胴体の外に取り出して、固定部からパウチをネジ結合を解いて取り外し、新しいパウチに交換することにより詰め替えを行っている。
【先行技術文献】
【特許文献】
【０００３】
【特許文献１】特表２０１３−５００９０７号公報
【発明の概要】
【発明が解決しようとする課題】
【０００４】
しかしながら、特許文献１に記載されている詰め替え容器は、パウチ内の液状内容物を消尽したら、紙管胴体から固定部を外し、固定部に結合しているパウチを紙管胴体の外に取り出して、固定部からパウチをネジ結合を解いて取り外し、新しいパウチに交換するので詰め替え作業が面倒であるといった問題がある。
また、液状内容物を収容するパウチは、特許文献１に特に規定されていないが、合成樹脂製であることが想定され、合成樹脂製である場合は取り替え後の使用済みパウチが産業廃棄物となり、廃棄が面倒であるといった問題がある。
また、パウチを収容している外容器となる胴体は紙製であるため、浴室や洗面所など濡れやすい場所で使用されて胴体が濡れると、型崩れを起こし反復使用ができなくなる場合があるといった問題がある。【０００５】
本発明の目的は、液状内容物の消尽時の詰め替え作業を容易に行えるようにすると共に、液状内容物を収容している内容器の詰め替え後の廃棄物の処理を容易に行えるようにし、さらに、濡れやすい場所でも反復使用できるようにした詰め替え容器を提供することにある。
【課題を解決するための手段】
【０００６】
上記の目的を達成するために、請求項１に記載の発明は、上部に開口部を有するプラスチック製の外容器と、外容器の開口部を閉じるプラスチック製の蓋体と、内部に液状内容物を収容し、液状内容物の消尽時に交換可能に前記外容器に収容される紙製の内容器と、前記蓋体に設けられ、前記外容器内に収容されている内容器内の液状内容物を吸い込んで外部へ吐出するポンプとからなり、前記内容器は、その上面部に吸い出し口が形成されており、前記ポンプは、筒状シリンダ部と前記筒状シリンダ部の上部に設けられ、前記筒状シリンダ部内に摺動自在に嵌合するピストンの操作部を兼ねる吐出ノズルと、前記筒状シリンダ部の下部に設けられた吸い込み管で構成され、前記筒状シリンダ部が前記蓋体に貫通して固定され、前記蓋体の上側に前記吐出ノズルが配置され、前記蓋体の下側に前記吸い込み管が配置されており、前記外容器の開口部を蓋体で閉じたとき、前記蓋体の下側に配置されている前記吸い込み管が、前記内容器の上面部に形成された前記吸い出し口から前記内容器内へ挿入されるようになっていることを特徴とする。【０００７】
請求項２に記載の発明は、請求項１に記載の、前記外容器内に収容されている前記内容器の上面部に形成された吸い出し口と、前記蓋体の下側に配置されている前記吸い込み管は、上下方向に同一線上に位置するように配置されていることを特徴とする。【０００８】
請求項３に記載の発明は、請求項１または２のいずれか１項に記載の、前記内容器の上面部に形成された吸い出し口は破断可能なフィルムで封止されており、前記外容器の開口部を蓋体で閉じたとき、前記蓋体の下側に配置されている前記吸い込み管が、前記フィルムを破断して前記内容器内へ挿入されるようになっていることを特徴とする。【０００９】
請求項４に記載の発明は、請求項１乃至３のいずれか１項に記載の、前記内容器の上面部に形成された吸い出し口は、上面部の中央に形成されていることを特徴とする。【００１０】
請求項５に記載の発明は、請求項１乃至４のいずれか１項に記載の、前記内容器の底面部は下向き四角錐形に形成されていることを特徴とする。【００１１】
請求項６に記載の発明は、請求項１乃至５のいずれか１項に記載の、前記内容器は、両面に熱可塑性樹脂を積層した紙素材からなり、４つの胴部パネルを備え、縦方向シールパネルによって縁部が接合されて四角の筒状に形成された胴部を有し、上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って折り畳まれる一対の側面パネルが連設され、前記一対の前記上面部形成パネルには、その中央に位置して前記吸い出し口となる穴が形成され、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されていることを特徴とする。【００１２】
請求項７に記載の発明は、請求項１乃至６のいずれか１項に記載の、前記内容器は、両面に熱可塑性樹脂を積層した紙素材からなり、４つの胴部パネルを備え、縦方向シールパネルによって縁部が接合されて四角の筒状に形成された胴部を有し、底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されていることを特徴とする。
【発明の効果】
【００１３】
請求項１に記載の詰め替え容器によれば、液状内容物の詰め替えは、前記内容器内の液状内容物を消尽したら、前記外容器から前記蓋体を外すとともに、前記蓋体を外す動作で前記蓋体に設けられている前記ポンプの吸い込み管を前記外容器内に収容されている前記内容器から引き抜き、前記外容器から液状内容物を消尽した前記内容器を取り出す。しかる後に、液状内容物が収容されている新たな前記内容器を前記外容器内に収容し、前記外容器内に収容した前記内容器の上面部に形成された前記吸い出し口から、前記ポンプの吸い込み管を前記内容器内へ挿入するようにして前記蓋体を前記外容器に被せるといった簡単な作業で容易に行うことができる。
そして、前記内容器は紙製であるので、取り替え後の使用済みの内容器は廃棄が容易である。また、リサイクルが可能なので省資源に寄与することができる。
さらに、前記外容器はプラスチック製であるので、濡れやすい場所でも長期に渡り反復使用することができ経済的である。【００１４】
請求項２に記載の詰め替え容器によれば、請求項１に記載の、前記外容器内に収容されている前記内容器の上面部に形成された吸い出し口と、前記蓋体の下側に配置されている前記吸い込み管は、上下方向に同一線上に位置するように配置されているので、前記蓋体を前記外容器の開口部上に位置させたとき、前記蓋体の下側に配置されている前記吸い込み管の先端が前記外容器内に収容されている前記内容器の上面部に形成されている前記吸い出し口と一致する。そのため、単純に前記蓋体を前記外容器に被せる動作で、前記吸い込み管を前記内容器の上面部に形成された前記吸い出し口を通して、前記吸い込み管を前記内容器内へ挿入することができることになり、液状内容物の詰め替え作業を一層容易に行うことができる。【００１５】
請求項３に記載の詰め替え容器によれば、請求項１または２のいずれか１項に記載の、前記内容器の上面部に形成された吸い出し口は破断可能なフィルムで封止されており、前記外容器の開口部を蓋体で閉じたとき、前記蓋体の下側に配置されている前記吸い込み管が、前記フィルムを破断して前記内容器内へ挿入されるようになっているので、液状内容物の詰め替え作業を一層容易に行うことができる。【００１６】
請求項４に記載の詰め替え容器によれば、請求項１乃至３のいずれか１項に記載の、前記内容器の上面部に形成された吸い出し口は、上面部の中央に形成されているので、前記外容器内に収容されている内容器内の液状内容物を吸い込んで外部へ吐出する前記ポンプを前記外容器の前記蓋体の中央に設けることにより、前記外容器の開口部を閉じる前記蓋体の向きに拘わらず、前記外容器の開口部を蓋体で閉じたとき、前記蓋体の下側に配置されている前記吸い込み管が、前記内容器の上面部に形成された前記吸い出し口から前記内容器内へ確実に挿入するので、液状内容物の詰め替え作業を一層容易に行うことができる。【００１７】
請求項５に記載の詰め替え容器によれば、請求項１乃至４のいずれか１項に記載の、前記内容器の底面部は下向き四角錐形に形成されているので、前記内容器内の液状内容物は、少なくなると底面部における下向き四角錐形の頂部に集まることになり、前記外容器の開口部を蓋体で閉じ、前記蓋体の下側に配置されている前記吸い込み管を前記内容器内へ挿入したとき、前記吸い込み管の先端が前記内容器の底面部における下向き四角錐形の頂部に位置するように設定することにより、前記内容器内の液状内容物を最後まで確実に吸い出すことができる。【００１８】
請求項６に記載の詰め替え容器によれば、請求項１乃至５のいずれか１項に記載の、前記内容器は、両面に熱可塑性樹脂を積層した紙素材からなり、４つの胴部パネルを備え、縦方向シールパネルによって縁部が接合されて四角の筒状に形成された胴部を有し、上面部は、前記胴部パネルの上端に、互いに対向し上下に重ねられる一対の上面部形成パネルと、前記一対の上面部形成パネルの間に位置して互いに対向し、前記一対の上面部形成パネルの重ね合わせに伴って折り畳まれる一対の側面パネルが連設され、前記一対の前記上面部形成パネルには、その中央に位置して前記吸い出し口となる穴が形成されているので、前記内容器の上面部の中央に吸い出し口を容易に形成することができる。
そして、前記一対の上面部形成パネルのうちの少なくとも下側の上面部形成パネルに形成された穴は、破断可能なフィルムで封止されており、前記一対の上面部形成パネルのうちの下側に重ねられた上面部形成パネルの周囲と、前記上側に重ねられた上面部形成パネル及び前記側面パネルとがシールされて形成されているので、液状内容物は前記内容器に封入された状態となり、前記外容器の開口部を蓋体で閉じることにより、前記蓋体の下側に配置されている前記吸い込み管を、前記内容器の上面部に形成された前記吸い出し口から前記内容器内へ挿入することができる。【００１９】
請求項７に記載の詰め替え容器によれば、請求項１乃至６のいずれか１項に記載の、前記内容器は、両面に熱可塑性樹脂を積層した紙素材からなり、４つの胴部パネルを備え、縦方向シールパネルによって縁部が接合されて四角の筒状に形成された胴部を有し、底面部は、前記胴部パネルの下端に、下部に帯状の外側シールパネルを有し互いに対向する一対の切妻屋根形底面形成パネルと、前記外側シールパネルよりも低い高さの帯状の内側シールパネルを有し互いに対向する一対の妻壁形底面形成パネルが連設され、前記切妻屋根形底面形成パネル間に前記妻壁形底面形成パネルが折り込まれて、対向する前記外側シールパネルの対向面同士がシールされるとともに、前記外側シールパネルと前記内側シールパネルとの対向面同士および前記内側シールパネルの対向面同士もまたシールされて形成されているので、前記内容器の底面部を下向き四角錐形に容易に形成することができる。
【図面の簡単な説明】
【００２０】
【図１】本発明に係る詰め替え容器の実施の形態の一例を示す斜視図である。
【図２】図１に示す詰め替え容器の縦断面図である。
【図３】図１に示す詰め替え容器の分解斜視図である。
【図４】内容器の上面に形成された吸い出し口の一例を示す拡大断面図である。
【図５】内容器の上面に形成された吸い出し口の他例を示す拡大断面図である。
【図６】内容器の上面に形成された吸い出し口の他例を示し、（イ）は拡大平面図、（ロ）は（イ）のＡ−Ａ断面図である。
【図７】本発明に係る詰め替え容器における内容器の他例を示す斜視図である。
【図８】図７のＢ−Ｂ断面図である。
【図９】図７のＣ−Ｃ断面図である。
【図１０】図７に示す内容器の組み立て加工前のカートンブランクを示す展開図である。
【図１１】図７に示す内容器の上面部を形成する工程を示す説明図である。
【図１２】図７に示す内容器の上面部を形成する工程を示す説明図である。
【図１３】外容器に図７に示す内容器を収容した詰め替え容器の縦断面図である。
【発明を実施するための形態】
【００２１】
以下、本発明に係る詰め替え容器の実施の形態の一例を図面を参照して詳細に説明する。
図１は本発明に係る詰め替え容器の実施の形態の一例を示す斜視図、図２は図１に示す詰め替え容器の縦断面図、図３は図１に示す詰め替え容器の分解斜視図、図４は内容器の上面に形成された吸い出し口の一例を示す拡大断面図、図５は内容器の上面に形成された吸い出し口の他例を示す拡大断面図、図６は内容器の上面に形成された吸い出し口の他例を示し、（イ）は拡大平面図、（ロ）は（イ）のＡ−Ａ断面図である。
【００２２】
本例の詰め替え容器１は、上部に開口部２を有するプラスチック製の外容器３と、外容器３の開口部２を閉じるプラスチック製の蓋体４と、内部にシャンプーや液体石鹸などの液状内容物を収容し、液状内容物の消尽時に交換可能に外容器３に収容される紙製の内容器５と、蓋体４に設けられ、外容器内３に収容されている内容器５内の液状内容物を吸い込んで外部へ吐出するポンプ６とからなる。
【００２３】
外容器３は、本例では透明なプラスチックで形成されているが、透明であることに限らない。また、形状にあっては有底角筒状となっているが、特に限定されない。
【００２４】
また、蓋体４は、下部に外容器３の上部に有する開口部２に着脱可能に嵌合し、開口部２を閉じる嵌合部４ａが設けられている。本例では、嵌合部４ａは開口部２に液密に嵌合するようになっている。
【００２５】
また、内容器５は、本例では、紙基材の少なくとも内面に熱可塑性樹脂層を有する紙素材でブリック型に形成されており、その上面部７に吸い出し口８が形成されている。吸い出し口８にあっては、上面部７に吸い出し口８となる穴９が形成され、上面部７の裏面に、破断可能なフィルム１０が穴９を塞ぐように設けられており（図４参照。）、ポンプ６の後述する吸い込み管を突き刺すことにより破断できるようになっている。
なお、本例では、穴９を塞ぐフィルム１０は上面部７の裏面に設けられているが、これに限らず、上面部７の表面に設けられていてもよく、また、上面部７の表裏両面に設けられていてもよい。
フィルム１０としては、ポリエチレン、ポリプロピレン、ポリエステル、セロファン等の公知のフィルムが使用可能であるが、特に限定されない。フィルム１０が熱可塑性樹脂であると、ヒートシールにより上面部７に形成されている穴９を容易に塞ぐことができる。
また、フィルム１０には、破断性、遮光性、酸素バリア性等の向上を目的としてアルミ箔や紙などを積層してもよい。
【００２６】
吸い出し口８としては、上記の構成に限られず、例えば、図５に示すように、上面部７に吸い出し口８となる穴９が形成され、上面部の表面に穴９を塞ぐように封止片１１が剥離可能に設けられた構成であってもよい。また、図６に示すように、上面部７に吸い出し口８となる穴９が一部を残してミシン目１２で形成され、上面部７の裏面に、破断可能なフィルム１０がミシン目１２で形成された穴９を塞ぐように設けられた構成であってもよい。
【００２７】
また、内容器５は、外容器３内で移動しないように位置決めされて収容されている。本例では、内容器５の形状は、その断面形状が外容器３の内部断面形状と概ね相似形に形成されており、外容器３内に収容されている内容器５は、その外面が外容器３の内面で支持されて、外容器３内で位置決めされるようになっている。
【００２８】
また、ポンプ６は、筒状シリンダ部１３と、筒状シリンダ部１３の上部に設けられ、筒状シリンダ部１３内に摺動自在に嵌合するピストンの操作部を兼ねる吐出ノズル１４と、筒状シリンダ部の下部に設けられた吸い込み管１５で構成されている。そして、筒状シリンダ部１３は蓋体４に貫通して固定され、蓋体４の上側に吐出ノズル１４が配置され、蓋体４の下側に吸い込み管１５が配置されている。
そして、外容器３の開口部２を蓋体４で閉じたとき、内容器５の上面部７に形成された吸い出し口８から、蓋体４の下側に配置されている吸い込み管１５が内容器５内へ挿入されるようになっている。
【００２９】
本例では、外容器３内に収容されている内容器５の上面部７に形成された吸い出し口８と、蓋体４の下側に配置されている吸い込み管１５は、上下方向に同一線上に位置するように配置されている。そして、外容器３の開口部２を蓋体４で閉じたとき、蓋体４の下側に配置されている吸い込み管１５が、上面部７に形成された吸い出し口８となる穴９を塞いでいるフィルム１０を破断して、内容器５内へ挿入されるようになっている。
【００３０】
このように構成された詰め替え容器１における液状内容物の詰め替えは次のように行われる。
内容器５内の液状内容物を消尽したら、外容器３から蓋体４を外すとともに、蓋体４に設けられているポンプ６の吸い込み管１５を外容器３内に収容されている内容器５から引き抜き、外容器３から液状内容物を消尽した内容器５を取り出す。
そして、液状内容物が収容されている新たな内容器５を外容器３内に収容し、外容器３内に収容した内容器５の上面部７に形成された吸い出し口８から、ポンプ６の吸い込み管１５を内容器５内へ挿入するようにして蓋体４を外容器３に被せることにより、詰め替え作業が終了する。
【００３１】
このように、本発明に係る詰め替え容器１によれば、液状内容物の詰め替えは、外容器３から蓋体４を外す動作と、蓋体４に設けられているポンプ６の吸い込み管１５を内容器５から引き抜く動作とが、外容器３から蓋体４を外すといった一連の動作で行うことができる。
本例では、外容器３内に位置決めされて収容されている内容器５の上面部７に形成された吸い出し口８と、蓋体４の下側に配置されている吸い込み管１５は、上下方向に同一線上に位置するように配置されているので、蓋体４を外容器３の開口部２上に位置させたとき、蓋体４の下側に配置されている吸い込み管１５の先端が外容器３内に収容されている内容器５の上面部７に形成されている吸い出し口８と一致する。そのため、単純に蓋体４を外容器３に被せる動作で、吸い込み管１５を内容器５の上面部７に形成された吸い出し口８を通して、吸い込み管１５を内容器５内へ挿入することができる。
【００３２】
また、本例では、外容器３の開口部２を蓋体４で閉じたとき、蓋体４の下側に配置されている吸い込み管１５が、上面部７に形成された吸い出し口８となる穴９を塞いでいるフィルム１０を破断して、内容器５内へ挿入されるようになっているので、外容器３の開口部２を蓋体４で閉じるといった一連の動作で、蓋体４の下側に配置されている吸い込み管１５を内容器５内の挿入することと、外容器３の開口部２を閉じることを同時に行うことができる。
【００３３】
また、内容器５は紙製であるので、使用済みの内容器５は廃棄が容易であり、またリサイクルが可能なので省資源に寄与することができる。また、外容器３はプラスチック製であるので、濡れやすい場所でも長期に渡り反復使用することができる。
【００３４】
図７は本発明に係る詰め替え容器における内容器の他例を示す斜視図、図８は図７のＢ−Ｂ断面図、図９は図７のＣ−Ｃ断面図、図１０は図７に示す内容器の組み立て加工前のカートンブランクを示す展開図、図１１、図１２は図７に示す内容器の上面部を形成する工程を示す説明図、図１３は外容器に図７に示す内容器を収容した詰め替え容器の縦断面図である。
【００３５】
本例の内容器５は、上面部７に形成された吸い出し口８は、上面部７の中央に形成されている。また、内容器の底面部１６は、図８、図９に示すように下向き四角錐形に形成されている。
本例の内容器５の実施の一例を説明すると、内容器５は、両面に熱可塑性樹脂を積層した紙素材からなり、胴部縦折線１７，１８，１９を介して４つの胴部パネル２０，２１，２２，２３を備え、胴部パネル２３にシール縦折線２４を介して連設した縦方向シールパネル２５によって胴部パネル２０の縁部が接合されて四角の筒状に形成された胴部２６を有している。
【００３６】
内容器５の上面部７にあっては、本例では次のように構成されている。
胴部パネル２０，２２の上端に、頂部横折線２７，２８を介して互いに対向し上下に重ねられる一対の上面部形成パネル２９，３０が連設され、そして、上面部形成パネル２９の下側に重なる上面部形成パネル３０の上端には、上面部形成パネル２９の内面にシールされるシールパネル３１が連設されている。
【００３７】
また、胴部パネル２１，２３の上端に、前記した一対の上面部形成パネル２９，３０の間に位置して互いに対向し、一対の上面部形成パネル２９，３０の重ね合わせに伴って折り畳まれる一対の側面パネル３４，３５が、頂部横折線３２，３３を介して連設されている。
【００３８】
また、上面部形成パネル２９，３０には、それぞれの中央に位置して吸い出し口８となる穴９ａ，９ｂが形成されており、穴９ａ，９ｂは上面部形成パネル２９，３０を重ねたとき穴９ａと穴９ｂの中心が一致するように開口している。そして、上面部形成パネル３０の裏面には、破断可能なフィルム３６が穴９ｂを塞ぐように設けられており、ポンプ６の吸い込み管１５を突き刺すことにより破断できるようになっている。
【００３９】
なお、本例では、穴９ｂを塞ぐフィルム３６は上面部形成パネル３０の裏面に設けられているが、これに限らず、上面部形成パネル３０の表面に設けられていてもよく、また、上面部形成パネル３０の表裏両面に設けられていてもよい。
フィルム３６としては、ポリエチレン、ポリプロピレン、ポリエステル、セロファン等の公知のフィルムが使用可能であるが、特に限定されない。フィルム３６が熱可塑性樹脂であると、ヒートシールにより上面部形成パネル３０に形成されている穴９ｂを容易に塞ぐことができる。
また、フィルム３６には、破断性、遮光性、酸素バリア性等の向上を目的としてアルミ箔や紙などを積層してもよい。
【００４０】
上面部形成パネル２９，３０と側面パネル３４，３５とによる内容器５の上面部７の形成にあっては、胴部２６を形成した後、先ず、上面部形成パネル３０を内側へ折り、これに伴うように、側面パネル３４，３５を三角形状に内面側へ折り畳み、胴部２６の上側開口部を上面部形成パネル３０で塞ぐ。そして、上面部形成パネル３０の上端に連設されているシールパネル３１を上面部形成パネル２９の内面にＳ１の範囲でシールするとともに、上面部形成パネル３０の両側縁を三角形状に折り畳んだ側面パネル３４，３５をＳ２の範囲でシールする（図１１参照。）。
【００４１】
次に、側面パネル３４，３５を外側（図１１で示す矢印方向。）に折り畳むようにして上面部形成パネル２９を上面部形成パネル３０の上に重ね（図１２参照。）、折り畳まれて胴部２６の外側へ突出した側面パネル３４，３５を下方（図１２で示す矢印方向。）へ折り、胴部２６へ接着等により固定して上面部７が形成される。
【００４２】
また、底面部１６にあっては、本例では次のように構成されている。
胴部パネル２０，２２の下端に、底部横折線３７，３８を介して互いに対向する一対の切妻屋根形底面形成パネル３９，４０が連設されている。切妻屋根形底面形成パネル３９，４０の下部には帯状の外側シールパネル４１，４２が連設されている。
また、胴部パネル２１，２３の下端に、底部横折線４３，４４を介して互いに対向する一対の妻壁形底面形成パネル４５，４６が連設されている。妻壁形底面形成パネル４５，４６の下部には外側シールパネル４１，４２よりも低い高さの帯状の内側シールパネル４７，４８が連設されている。
【００４３】
そして、切妻屋根形底面形成パネル３９，４０と妻壁形底面形成パネル４５，４６とによる底面部１６の形成にあっては、切妻屋根形底面形成パネル３９，４０間に妻壁形底面形成パネル４５，４６が折り込まれて、対向する外側シールパネル４１，４２の対向面同士がシールされるとともに、外側シールパネル４１，４２と内側シールパネル４７，４８との対向面同士および内側シールパネル４７，４８の対向面同士もまたシールされ、いわゆる逆ゲーブルトップ形の下向き四角錐形に形成されている。
【００４４】
このように、本発明に係る詰め替え容器１によれば、本例の内容器５の上面部７に形成された吸い出し口８は、上面部７の中央に形成されているので、外容器３内に収容されている内容器５内の液状内容物を吸い込んで外部へ吐出するポンプ６を外容器３の蓋体４の中央に設けることにより、外容器３の開口部２を閉じる蓋体４の向きに拘わらず、外容器３の開口部２を蓋体４で閉じたとき、蓋体４の下側に配置されている吸い込み管１５が、内容器５の上面部７に形成された吸い出し口８から内容器５内へ確実に挿入する。
【００４５】
本例の内容器５は、両面に熱可塑性樹脂を積層した紙素材からなり、４つの胴部パネル２０，２１，２２，２３を備え、縦方向シールパネル２５によって縁部が接合されて四角の筒状に形成された胴部２６を有し、上面部７は、胴部パネル２０，２１，２２，２３の上端に、互いに対向し上下に重ねられる一対の上面部形成パネル２９，３０と、上面部形成パネル２９，３０の間に位置して互いに対向し、上面部形成パネル２９，３０の重ね合わせに伴って折り畳まれる一対の側面パネル３４，３５が連設され、上面部形成パネル２９，３０には、その中央に位置して吸い出し口８となる穴９ａ,９ｂが形成されているので、内容器５の上面部７の中央に吸い出し口８を容易に形成できる。
【００４６】
そして、下側の上面部形成パネル３０に形成された穴９ｂは、破断可能なフィルム３６で封止されており、下側に重ねられた上面部形成パネル３０の周囲と、上側に重ねられた上面部形成パネル２９及び側面パネル３４，３５とがシールされて形成されているので、液状内容物は内容器５に封入された状態となり、外容器５の開口部２を蓋体４で閉じることにより、蓋体４の下側に配置されている吸い込み管１５を、内容器５の上面部７に形成された吸い出し口８から内容器５内へ挿入できる。
【００４７】
また、本例の内容器５の底面部１６は、下向き四角錐形に形成されているので、内容器５内の液状内容物は、少なくなると底面部１６における下向き四角錐形の頂部に集まることになり、外容器３の開口部２を蓋体４で閉じ、蓋体４の下側に配置されている吸い込み管１５を内容器５内へ挿入したとき、吸い込み管１５の先端が内容器５の底面部１６における下向き四角錐形の頂部に位置するように設定することにより、内容器５内の液状内容物を最後まで確実に吸い出せる。
【００４８】
このような形状の底面部１６は、本例では、胴部パネル２０，２２の下端に、下部に帯状の外側シールパネル４１，４２を有し互いに対向する一対の切妻屋根形底面形成パネル３９，４０と、外側シールパネル４１，４２よりも低い高さの帯状の内側シールパネル４７，４８を有し互いに対向する一対の妻壁形底面形成パネル４５，４６が連設され、切妻屋根形底面形成パネル３９，４０間に妻壁形底面形成パネル４５，４６が折り込まれて、対向する外側シールパネル４７，４８の対向面同士がシールされるとともに、外側シールパネル４１，４２と内側シールパネル４７，４８との対向面同士および内側シールパネル４７，４８の対向面同士もまたシールされて形成されているので、内容器５の底面部１６を下向き四角錐形に容易に形成できる。
【００４９】
更に、本例の内容器５を使用した液状内容物の詰め替えにあっても、外容器３から蓋体４を外す動作と、蓋体４に設けられているポンプ６の吸い込み管１５を内容器５から引き抜く動作とが、外容器３から蓋体４を外すといった一連の動作で行うことができる。
また、本例の内容器５も紙製であるので、使用済みの内容器５は廃棄が容易であり、またリサイクルが可能なので省資源に寄与することができる。
【符号の説明】
【００５０】
１  詰め替え容器
２  開口部
３  外容器
４  蓋体
４ａ  嵌合部
５  内容器
６  ポンプ
７  上面部
８  吸い出し口
９，９ａ，９ｂ  穴
１０  フィルム
１１  封止片
１２  ミシン目
１３  筒状シリンダ部
１４  吐出ノズル
１５  吸い込み管
１６  底面部
１７，１８，１９  胴部縦折線
２０，２１，２２，２３  胴部パネル
２４  シール縦折線
２５  縦方向シールパネル
２６  胴部
２７，２８  頂部横折線
２９，３０  上面部形成パネル
３１  シールパネル
３２，３３  頂部横折線
３４，３５  側面パネル
３６  フィルム
３７，３８  底部横折線
３９，４０  切妻屋根形底面形成パネル
４１，４２  外側シールパネル
４３，４４  底部横折線
４５，４６  妻壁形底面形成パネル
４７，４８  内側シールパネル
【図１】
2016002179.tif 000003
【図２】
2016002179.tif 000004
【図３】
2016002179.tif 000005
【図４】
2016002179.tif 000006
【図５】
2016002179.tif 000007
【図６】
2016002179.tif 000008
【図７】
2016002179.tif 000009
【図８】
2016002179.tif 000010
【図９】
2016002179.tif 000011
【図１０】
2016002179.tif 000012
【図１１】
2016002179.tif 000013
【図１２】
2016002179.tif 000014
【図１３】
2016002179.tif 000015
【国際調査報告】
2016002179.tif 000016
2016002179.tif 000017
2016002179.tif 000018
2016002179.tif 000019